(57)【要約】  情報処理方法は、複数の情報処理端末と通信を行う情報処理装置が実行し、第１の情報処理端末から第１のコンテンツを受信するステップと、前記第１のコンテンツと、前記情報処理装置が有するデータベースに記憶される複数のコンテンツとを照合するステップと、前記照合するステップによって前記第１のコンテンツに一致又は類似する第２のコンテンツが検出された場合、第２の情報処理端末から前記第１のコンテンツの使用に係る設定を示す情報を受信するステップと、前記第１のコンテンツの使用に係る設定を示す情報に基づいて、前記第１の情報処理端末による前記第１のコンテンツの使用を制御するステップと、を実行する。
2019087282.tif 000002
【特許請求の範囲】
【請求項１】
複数の情報処理端末と通信を行う情報処理装置が実行する情報処理方法であって、
第１の情報処理端末から第１のコンテンツを受信するステップと、
前記第１のコンテンツと、前記情報処理装置が有するデータベースに記憶される複数のコンテンツとを照合するステップと、
前記照合するステップによって前記第１のコンテンツに一致又は類似する第２のコンテンツが検出された場合、第２の情報処理端末から前記第１のコンテンツの使用に係る設定を示す情報を受信するステップと、
前記第１のコンテンツの使用に係る設定を示す情報に基づいて、前記第１の情報処理端末による前記第１のコンテンツの使用を制御するステップと、を実行する情報処理方法。
【請求項２】
前記照合するステップによって前記第１のコンテンツに一致又は類似するコンテンツが検出されなかった場合、前記第１の情報処理端末から受信した前記第１のコンテンツの使用に係る設定を示す情報に基づいて、前記第１の情報処理端末による前記第１のコンテンツの使用を制御するステップを実行する、
請求項１記載の情報処理方法。
【請求項３】
前記制御するステップにより、前記第１のコンテンツの使用が禁止される、
請求項１記載の情報処理方法。
【請求項４】
前記制御するステップにより、前記第１のコンテンツの使用が禁止された場合、前記第１の情報処理端末において、前記第１のコンテンツが非表示にされ、かつ、コンテンツが非表示にされたことを示すメッセージを表示させる、
請求項３記載の情報処理方法。
【請求項５】
前記制御するステップにより、前記第１のコンテンツの使用が所定の条件で許可された場合、前記第１の情報処理端末において、前記第１のコンテンツを前記第２のコンテンツに置換して表示させる、
請求項１記載の情報処理方法。
【請求項６】
前記制御するステップにより、前記第１のコンテンツの使用が所定の条件で許可された場合、コンテンツの表示が置換されたことを示すメッセージを表示させる、
請求項５記載の情報処理方法。
【請求項７】
前記第１の情報処理端末において、前記第２のコンテンツを表示させる前に、所定の期間第３のコンテンツを表示させる、
請求項５記載の情報処理方法。
【請求項８】
前記所定の条件は、前記第１の情報処理端末においてクレジットを表示させるか、又は、前記第１の情報処理端末においてリンクを設置させるか、又は、コンテンツの使用料金処理を行うかのいずれかである、
請求項５記載の情報処理方法。
【請求項９】
複数の情報処理端末と通信を行う情報処理装置であって、
第１の情報処理端末から第１のコンテンツを受信する第１の受信部と、
前記第１のコンテンツと、前記情報処理装置が有するデータベースに記憶される複数のコンテンツとを照合する照合部と、
前記照合部によって前記第１のコンテンツに一致又は類似する第２のコンテンツが検出された場合、第２の情報処理端末から前記第１のコンテンツの使用に係る設定を示す情報を受信する第２の受信部と、
前記第１のコンテンツの使用に係る設定を示す情報に基づいて、前記第１の情報処理端末による前記第１のコンテンツの使用を制御する制御部と、を有する情報処理装置。
【請求項１０】
複数の情報処理端末と通信を行う情報処理装置が実行可能なプログラムであって、
第１の情報処理端末から第１のコンテンツを受信するステップと、
前記第１のコンテンツと、前記情報処理装置が有するデータベースに記憶される複数のコンテンツとを照合するステップと、
前記照合するステップによって前記第１のコンテンツに一致又は類似する第２のコンテンツが検出された場合、第２の情報処理端末から前記第１のコンテンツの使用に係る設定を示す情報を受信するステップと、
前記第１のコンテンツの使用に係る設定を示す情報に基づいて、前記第１の情報処理端末による前記第１のコンテンツの使用を制御するステップと、を前記情報処理装置に実行させるプログラム。
【発明の詳細な説明】
【技術分野】
【０００１】
本開示は、情報処理方法、情報処理装置及びプログラムに関する。
【背景技術】
【０００２】
ソーシャルネットワーキングサービス（ＳＮＳ、Social Networking Service）等を用いてアップロードされた画像、又はインターネット上等を収集してまとめた情報を掲載するキュレーションサイト上の画像を検索することができる技術が知られている（例えば特許文献１及び特許文献２）。
【先行技術文献】
【特許文献】
【０００３】
【特許文献１】特開２０１７−１７３９００号公報
【特許文献２】特開２０１７−０５４４３８号公報
【発明の概要】
【発明が解決しようとする課題】
【０００４】
しかしながら、従来技術においては、画像の著作権者が、例えばＳＮＳ上の画像を検索することにより当該画像の無断使用を検出した場合であっても、当該画像の使用を制限するためには、無断使用者等に警告を行い、無断使用等を止めさせる必要がある。そのため、無断使用等を制限することが困難な場合があるという問題があった。【０００５】
本開示は、上記問題に鑑みてなされたものであり、コンテンツの著作権を有するユーザが、コンテンツの使用に係る制御を容易に実行することを目的とする。
【課題を解決するための手段】
【０００６】
本開示の一実施形態に係る情報処理方法は、複数の情報処理端末と通信を行う情報処理装置が実行し、第１の情報処理端末から第１のコンテンツを受信するステップと、前記第１のコンテンツと、前記情報処理装置が有するデータベースに記憶される複数のコンテンツとを照合するステップと、前記照合するステップによって前記第１のコンテンツに一致又は類似する第２のコンテンツが検出された場合、第２の情報処理端末から前記第１のコンテンツの使用に係る設定を示す情報を受信するステップと、前記第１のコンテンツの使用に係る設定を示す情報に基づいて、前記第１の情報処理端末による前記コンテンツの使用を制御するステップと、を実行する。
【図面の簡単な説明】
【０００７】
【図１】実施形態に係る通信システムの構成を示す図である。
【図２】実施形態に係る通信システムにおけるコンテンツ登録のシーケンスの一例を示す図である。
【図３】実施形態に係るコンテンツアップロード時の端末２０における画面表示の一例を示す図である。
【図４】実施形態に係るライセンス設定時の端末２０における画面表示の一例を示す図である。
【図５】実施形態に係るメタ情報設定時の端末２０における画面表示の一例を示す図である。
【図６】実施形態に係る通信システムにおけるライセンス処理の一例を示すフローチャートである。
【図７】実施形態に係るコンテンツ検索結果表示時の端末２０における画面表示の一例を示す図である。
【図８】実施形態に係る通信システムにおけるライセンス設定のシーケンスの一例を示す図である。
【図９】実施形態に係る権利を有するコンテンツ一覧時の端末２０における画面表示の一例を示す図である。
【図１０】実施形態に係る通信システムにおけるライセンス変更処理の一例を示すフローチャートである。
【図１１】実施形態に係るコンテンツの使用がブロックされた場合の端末２０における画面表示の一例を示す図である。
【図１２】実施形態に係るコンテンツの使用が許諾された場合の端末２０における画面表示の一例を示す図である。
【図１３】実施形態に係るモニタリング時の端末２０における画面表示の一例を示す図である。
【図１４】実施形態に係るライセンス行使状態表示時の端末２０における画面表示の一例を示す図である。
【図１５】実施形態に係るコンテンツ詳細表示時の端末２０における画面表示の一例を示す図である。
【図１６】実施形態に係るプロファイル表示時の端末２０における画面表示の一例を示す図である。
【発明を実施するための形態】
【０００８】
＜法的事項の遵守＞
本明細書に記載の発明を実施する場合は、通信の秘密等、本開示の実施に関する実施国の法的事項を遵守の上で実施されるものであることに留意されたい。
【０００９】
本開示に係る情報処理方法、情報処理装置及びプログラムの実施形態について、図面を参照して説明する。
＜システム構成＞
図１は、実施形態に係る通信システムの構成を示す図である。図１に開示されるように、通信システムでは、ネットワーク３０を介してサーバ１０と、端末２０Ａ、端末２０Ｂ及び端末２０Ｃ（以下、それぞれを区別しない場合、「端末２０」という。）とが接続される。サーバ１０は、ネットワーク３０を介してユーザが所有する端末２０に、端末２０間での登録コンテンツ共有を実現するサービスを提供する。なお、ネットワーク３０に接続される端末２０の数は限定されない。
【００１０】
ネットワーク３０は、１以上の端末２０と、１以上のサーバ１０とを接続する役割を担う。すなわち、ネットワーク３０は、端末２０がサーバ１０に接続した後、データを送受信することができるように接続経路を提供する通信網である。
【００１１】
ネットワーク３０のうちの１つ又は複数の部分は、有線ネットワーク又は無線ネットワークであってもよい。ネットワーク３０は、限定されない例として、アドホック・ネットワーク（ad hoc network）、イントラネット、エクストラネット、仮想プライベート・ネットワーク（virtual private network：ＶＰＮ）、ローカル・エリア・ネットワーク（local area network：ＬＡＮ）、ワイヤレスＬＡＮ（wireless LAN：ＷＬＡＮ）、広域ネットワーク（wide area network：ＷＡＮ）、ワイヤレスＷＡＮ（wireless WAN：ＷＷＡＮ）、大都市圏ネットワーク（metropolitan area network：ＭＡＮ）、インターネットの一部、公衆交換電話網（Public Switched Telephone Network：ＰＳＴＮ）の一部、携帯電話網、ＩＳＤＮｓ（integrated service digital networks）、無線ＬＡＮｓ、ＬＴＥ（long term evolution）、ＣＤＭＡ（code division multiple access）、ブルートゥース（Bluetooth（登録商標））、衛星通信等、又は、これらの２つ以上の組合せを含むことができる。ネットワーク３０は、１つまたは複数のネットワーク３０を含むことができる。
【００１２】
端末２０は、実施形態において記載する機能を実現できる情報処理端末であればどのような端末であってもよい。端末２０は、限定されない例として、コンピュータ（限定されない例として、デスクトップ、ラップトップ、ノート、タブレット等）、スマートフォン、携帯電話（フィーチャーフォン）、メディアコンピュータプラットホーム（限定されない例として、ケーブルテレビ受信用セットトップボックス、衛星セットトップボックス又はデジタルビデオレコーダ等）、ハンドヘルドコンピュータデバイス（限定されない例として、ＰＤＡ（personal digital assistant）、電子メールクライアント等）、ウェアラブル端末（メガネ型デバイス、時計型デバイス等）、又は他種のコンピュータ、またはコミュニケーションプラットホームを含む。また、端末２０は情報処理端末と表現されても良い。
【００１３】
端末２０Ａ、端末２０Ｂ又は端末２０Ｃの構成は基本的には同一であるため、以下の説明においては、端末２０について説明する。なお、ユーザのプロファイル情報は、本通信システムにおける登録コンテンツ共有サービスに対するアカウントに関連付けられた情報の一部又は全部である。ユーザのプロファイル情報は、限定されない例として、ユーザにより入力されるユーザ名、ユーザ画像、ユーザの年齢、ユーザの性別、ユーザの住所、ユーザの趣味趣向又は、ＳＮＳシステムにより設定されるユーザ識別子等のユーザを特定可能な情報を含み、これらのいずれか一つ又は組み合わせであってもよい。
【００１４】
サーバ１０は、端末２０に対して、所定のサービスを提供する機能を備える。サーバ１０は、実施形態において記載する機能を実現できる情報処理装置であればどのような装置であってもよい。サーバ１０は、限定されない例として、サーバ装置、コンピュータ（限定されない例として、デスクトップ、ラップトップ、タブレットなど）、メディアコンピュータプラットホーム（限定されない例として、ケーブルテレビ受信用セットトップボックス、衛星セットトップボックス又はデジタルビデオレコーダ等）、ハンドヘルドコンピュータデバイス（限定されない例として、ＰＤＡ、電子メールクライアント等）、あるいは他種のコンピュータ、またはコミュニケーションプラットホームを含む。また、サーバ１０は情報処理装置と表現されてもよい。
＜ハードウェア構成＞ 
図１を用いて、通信システムに含まれる各装置のハードウェア構成について説明する。
（１）サーバのハードウェア構成 
サーバ１０は、制御装置１１（ＣＰＵ）、記憶装置１５、通信Ｉ／Ｆ１４（インタフェース）、入出力装置１２、ディスプレイ１３を備える。サーバ１０のハードウェアの各構成要素は、限定されない例として、バスＢを介して相互に接続される。
【００１５】
制御装置１１は、プログラム内に含まれたコード又は命令によって実現する機能を実行するために物理的に構造化された回路を有し、限定されない例として、ハードウェアに内蔵されたデータ処理装置により実現される。
【００１６】
制御装置１１は、代表的には中央処理装置（ＣＰＵ、central processing unit）、であり、その他にマイクロプロセッサ（microprocessor）、プロセッサコア（processor core）、マルチプロセッサ（multiprocessor）、ＡＳＩＣ（application specific integrated circuit）、ＦＰＧＡ（field-programmable gate array）であってもよい。ただし、本開示の実施形態において、制御装置１１は、これらに限定されない。
【００１７】
記憶装置１５は、サーバ１０が動作するうえで必要とする各種プログラムや各種データを記憶する機能を有する。記憶装置１５は、ＲＯＭ（Read Only Memory）、ＲＡＭ（Random Access Memory）、ＨＤＤ（hard disk drive）、ＳＳＤ（solid state drive）、フラッシュメモリ等各種の記憶媒体により実現される。ただし、本開示において、記憶装置１５は、これらに限定されない。
【００１８】
通信Ｉ／Ｆ１４は、ネットワーク３０を介して各種データの送受信を行う。当該通信は、有線、無線のいずれで実行されてもよく、互いの通信が実行できるのであれば、どのような通信プロトコルを用いてもよい。通信Ｉ／Ｆ１４は、ネットワーク３０を介して、端末２０との通信を実行する機能を有する。通信Ｉ／Ｆ１４は、各種データを制御装置１１からの指示に従って、端末２０に送信する。また、通信Ｉ／Ｆ１４は、端末２０から送信された各種データを受信し、制御装置１１に伝達する。
【００１９】
入出力装置１２は、サーバ１０に対する各種操作を入力する装置により実現される。入出力装置１２は、ユーザからの入力を受け付けて、当該入力に係る情報を制御装置１１に伝達できる全ての種類の装置のいずれかまたはその組み合わせにより実現される。入出力装置１２は、キーボード等に代表されるハードウェアキー又はマウス等のポインティングデバイスで実現される。なお、入出力装置１２は、限定されない例として、タッチパネル又はカメラ（動画像を介した操作入力）、マイク（音声による操作入力）を含んでいてもよい。ただし、本開示において、入出力装置１２は、これらに限定されない。
【００２０】
ディスプレイ１３は、代表的にはモニタ（限定されない例として、液晶ディスプレイ又はＯＥＬＤ（organic electroluminescence display））で実現される。なお、ディスプレイ１３は、ヘッドマウントディスプレイ（ＨＭＤ、head mounted display）等であってもよい。なお、これらのディスプレイ１３は、３Ｄ（three dimensions）で表示データを表示可能であってもよい。ただし、本開示において、ディスプレイ１３は、これらに限定されない。
【００２１】
サーバ１０は、プログラムＰを記憶装置１５に記憶させ、当該プログラムＰを実行することで、制御装置１１が、制御装置１１に含まれる各部としての処理を実行する。つまり、記憶装置１５に記憶されるプログラムＰは、サーバ１０に、制御装置１１が実行する各機能を実現させる。また、サーバ１０は、制御装置１１が実行する各機能を実現するために必要なデータＤを記憶装置１５に記憶させる。
【００２２】
（２）端末のハードウェア構成
端末２０は、制御装置２１（ＣＰＵ）、記憶装置２８、通信Ｉ／Ｆ２２（インタフェース）、入出力装置２３、表示装置２４、マイク２５、スピーカ２６、カメラ２７等を備える。端末２０のハードウェアの各構成要素は、限定されない例として、バスＢを介して相互に接続される。
【００２３】
通信Ｉ／Ｆ２２は、ネットワーク３０を介して各種データの送受信を行う。当該通信は、有線、無線のいずれで実行されてもよく、互いの通信が実行できるのであれば、どのような通信プロトコルを用いてもよい。通信Ｉ／Ｆ２２は、ネットワーク３０を介して、サーバ１０との通信を実行する機能を有する。通信Ｉ／Ｆ２２は、各種データを制御装置２１からの指示に従って、サーバ１０に送信する。また、通信Ｉ／Ｆ２２は、サーバ１０から送信された各種データを受信し、制御装置２１に伝達する。
【００２４】
入出力装置２３は、端末２０に対する各種操作を入力する装置、及び、端末２０で処理された処理結果を出力する装置を含む。入出力装置２３は、入力装置と出力装置とが一体化されていてもよいし、入力装置と出力装置とが分離されていてもよい。
【００２５】
入力装置は、ユーザからの入力を受け付けて、当該入力に係る情報を制御装置２１に伝達できる全ての種類の装置のいずれか又はその組み合わせにより実現される。入力装置は、限定されない例として、タッチパネル、タッチディスプレイ、キーボード等のハードウェアキー又は、マウス等のポインティングデバイス、カメラ（動画像を介した操作入力）、マイク（音声による操作入力）を含む。
【００２６】
出力装置は、制御装置２１で処理された処理結果を出力することができる全ての種類の装置のいずれか又はその組み合わせにより実現される。出力装置は、限定されない例として、 タッチパネル、タッチディスプレイ、スピーカ（音声出力）、レンズ（限定されない例として３Ｄ出力や、ホログラム出力）、プリンターなどを含む。
【００２７】
表示装置２４は、フレームバッファに書き込まれた表示データに従って、表示することができる全ての種類の装置のいずれかまたはその組み合わせにより実現される。表示装置２４は、限定されない例として、タッチパネル、タッチディスプレイ、モニタ（限定されない例として、液晶ディスプレイ又はＯＥＬＤ（organic electroluminescence display））、ヘッドマウントディスプレイ（ＨＭＤ）、プロジェクションマッピング、ホログラム、空気中等（真空であってもよい）に画像又はテキスト情報等を表示可能な装置を含む。なお、これらの表示装置２４は、３Ｄで表示データを表示可能であってもよい。
【００２８】
入出力装置２３がタッチパネルの場合、入出力装置２３と表示装置２４とは、略同一の大きさおよび形状で対向して配置されていてもよい。
【００２９】
制御装置２１は、プログラム内に含まれたコード又は命令によって実現する機能を実行するために物理的に構造化された回路を有し、限定されない例として、ハードウェアに内蔵されたデータ処理装置により実現される。
【００３０】
制御装置２１は、限定されない例として、中央処理装置（ＣＰＵ）、マイクロプロセッサ、プロセッサコア、マルチプロセッサ、ＡＳＩＣ、ＦＰＧＡを含む。
【００３１】
記憶装置２８は、端末２０が動作する上で必要とする各種プログラムや各種データを記憶する機能を有する。記憶装置２８は、限定されない例として、ＨＤＤ、ＳＳＤ、フラッシュメモリ、ＲＡＭ、ＲＯＭ等の各種の記憶媒体を含む。
【００３２】
端末２０は、プログラムＰを記憶装置２８に記憶させ、当該プログラムＰを実行することで、制御装置２１が、制御装置２１に含まれる各部としての処理を実行する。つまり、記憶装置２８に記憶されるプログラムＰは、端末２０に、制御装置２１が実行する各機能を実現させる。また、端末２０は、制御装置２１が実行する各機能を実現するために必要なデータＤを記憶装置２８に記憶させる。
【００３３】
マイク２５は、音声データの入力に利用される。スピーカ２６は、音声データの出力に利用される。カメラ２７は、動画像データの取得に利用される。
【００３４】
なお、本開示のプログラムは、限定されない例として、ＡｃｔｉｏｎＳｃｒｉｐｔ、ＪａｖａＳｃｒｉｐｔ（登録商標）などのスクリプト言語、Ｏｂｊｅｃｔｉｖｅ−Ｃ、Ｊａｖａ（登録商標）などのオブジェクト指向プログラミング言語、ＨＴＭＬ５などのマークアップ言語等を用いて実装される。
【００３５】
本開示の実施形態においては、端末２０及び／又はサーバ１０のＣＰＵがプログラムＰを実行することにより、所要の機能を実現するものとして説明する。
【００３６】
なお、端末２０の制御装置２１及び／又はサーバ１０の制御装置１１は、ＣＰＵだけでなく、集積回路（ＩＣ（Integrated Circuit）チップ、ＬＳＩ（Large Scale Integration））等に形成された論理回路（ハードウェア）又は専用回路によって各処理を実現してもよい。また、これらの回路は、１または複数の集積回路により実現されてよく、実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００３７】
また、本開示の実施形態のプログラムＰ（ソフトウェアプログラム/コンピュータプログラム）は、コンピュータに読み取り可能な記憶媒体に記憶された状態で提供されてもよい。 記憶媒体は、「一時的でない有形の媒体」に、プログラムを記憶可能である。
【００３８】
記憶媒体は適切な場合、１つまたは複数の半導体ベースの、または他の集積回路（ＩＣ）（限定されない例として、フィールド・プログラマブル・ゲート・アレイ（ＦＰＧＡ）または特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。なお、記憶媒体はこれらの例に限られず、プログラムＰを記憶可能であれば、どのようなデバイス又は媒体であってもよい。
【００３９】
サーバ１０および／または端末２０は、記憶媒体に記憶されたプログラムＰを読み出し、読み出したプログラムＰを実行することによって、実施形態に示す複数の機能部の機能を実現することができる。
【００４０】
また、本開示のプログラムＰは、当該プログラムを伝送可能な任意の伝送媒体（通信ネットワーク又は放送波等）を介して、サーバ１０及び／又は端末２０に提供されてもよい。サーバ１０及び／又は端末２０は、限定されない例として、インターネット等を介してダウンロードしたプログラムＰを実行することにより、実施形態に示す複数の機能部の機能を実現する。
【００４１】
また、本開示の実施形態は、プログラムＰが電子的な伝送によって具現化された、搬送波に埋め込まれたデータ信号の形態でも実現され得る。 
サーバ１０及び／又は端末２０における処理の少なくとも一部は、１以上のコンピュータにより構成されるクラウドコンピューティングにより実現されていてもよい。
【００４２】
端末２０における処理の少なくとも一部を、サーバ１０により行う構成としてもよい。この場合、端末２０の制御装置２１の各機能部の処理のうち少なくとも一部の処理を、サーバ１０で行う構成としてもよい。
【００４３】
サーバ１０における処理の少なくとも一部を、端末２０により行う構成としてもよい。この場合、サーバ１０の制御装置１１の各機能部の処理のうち少なくとも一部の処理を、端末２０で行う構成としてもよい。
【００４４】
明示的な言及のない限り、本開示の実施形態における判定の構成は必須でなく、判定条件を満たした場合に所定の処理が動作されたり、判定条件を満たさない場合に所定の処理がされたりしてもよい。
＜実施形態＞
以下、本開示の実施形態を説明する。
＜機能構成＞
（１）サーバ１０の機能構成例
図１に示されるように、サーバ１０の制御装置１１により実現される機能部は、ユーザインタフェース制御部１１０、データベース管理部１１１、コンテンツ照合部１１２及びライセンス処理部１１３を含む。各機能部は、相互に接続され、端末２０の機能部と通信することも可能である。
【００４５】
ユーザインタフェース制御部１１０は、端末２０において、ユーザへの画面表示及びユーザからのボタンクリックによるコマンド又はコンテンツデータ等の入力を受け付ける画面表示を制御する機能を有する。限定されない例として、当該画面表示は、端末２０で動作するブラウザを介して、ユーザインタフェース制御部１１０から提供されてもよい。ユーザへの画面表示には、コンテンツの閲覧、コンテンツに係るライセンス行使状況の表示、コンテンツの登録、ライセンスの設定、メタ情報の設定等が含まれる。
【００４６】
なお、ユーザは、通信システムの利用者である。以下、ユーザを特に区別する場合、コンテンツを登録するユーザを「登録者」、コンテンツの著作権を有するユーザを「権利者」という。ユーザは、通信システムにおいてユーザプロファイルによって識別され、通信システムにログインすることができる。
【００４７】
なお、コンテンツは、著作物全般に対応する。限定されない例として、コンテンツは、画像であってもよいし、動画像、音楽、テキスト等であってもよい。
【００４８】
データベース管理部１１１は、ユーザのプロファイル、コンテンツ、コンテンツに係るライセンス設定、コンテンツに係るメタ情報等を、記憶装置１５のデータＤ上に構築されるデータベースに登録又は更新する機能を有する。なお、当該データベースは、通信システムにおけるサーバ１０以外のサーバが有していてもよいし、複数のデータベースが統合されたものが使用されてもよい。
【００４９】
また、データベース管理部１１１は、データベースが有するユーザのプロファイルと、ユーザインタフェース制御部１１０からユーザが入力したユーザのプロファイルとを照合して通信システムに対するログイン処理を実行する機能を有する。また、データベース管理部１１１は、ユーザインタフェース制御部１１０からユーザが入力したユーザのプロファイルでデータベースを更新して通信システムに対する新規ユーザ登録処理を実行する機能を有する。また、データベース管理部１１１は、コンテンツの被閲覧数又はクリック数等を集計して記憶する機能を有してもよい。
【００５０】
コンテンツ照合部１１２は、ユーザが登録するコンテンツと、登録済であるコンテンツとを照合する。照合の結果、同一又は類似のコンテンツが存在するか否か判定を行う。コンテンツ照合部１１２が、照合の対象とするコンテンツは、サーバ１０が有するデータベースに含まれるコンテンツでもよいし、通信システムが有する複数のサーバから構成されるデータベースに含まれるコンテンツでもよいし、インターネットの一部又は全部に存在するコンテンツでもよい。
【００５１】
ライセンス処理部１１３は、コンテンツに係るライセンスの処理を行う。コンテンツ照合部１１２によるコンテンツ照合の結果、同一又は類似のコンテンツが存在する判定である場合、ライセンス処理部１１３は、コンテンツの著作権を有するユーザすなわち権利者に当該コンテンツが登録されたことを通知し、コンテンツを登録したユーザすなわち登録者に当該コンテンツのライセンス設定を通知する。また、ライセンス処理部１１３は、登録されたコンテンツに、権利者が入力したライセンス設定を適用して、データベース管理部１１１にライセンス設定を更新させる。
（２）端末２０の機能構成例
図１に示されるように、端末２０の制御装置２１により実現される機能部は、ユーザインタフェース処理部２１０を含む。ユーザインタフェース処理部２１０は、サーバ１０の機能部と通信することも可能である。
【００５２】
ユーザインタフェース処理部２１０は、サーバ１０のユーザインタフェース制御部１１０の指示に基づいて、ユーザへの画面表示及びユーザからのコマンド又はコンテンツデータ等の入力を受け付ける画面表示を行う機能を有する。ユーザインタフェース処理部２１０は、サーバ１０のユーザインタフェース制御部１１０に、ユーザから入力されたボタンクリックによるコマンド又はコンテンツデータ等を送信する。
【００５３】
＜コンテンツ登録処理＞
図２は、実施形態に係る通信システムにおけるコンテンツ登録のシーケンスの一例を示す図である。図２において、ユーザがコンテンツを本通信システムに登録する動作を説明する。したがって、図２に示されるユーザは、登録者である。また、図２において、ユーザが本通信システムに登録されているコンテンツを閲覧する動作を説明する。
【００５４】
ステップＳ１０１において、ユーザインタフェース制御部１１０は、画面表示に係る情報をユーザインタフェース処理部２１０に送信する。当該画面表示は、ユーザに対して、「ユーザ登録」又は「ログイン」のインタフェースを提供するものである。続いて、ユーザは、ユーザインタフェース処理部２１０に対して、ユーザ登録又はログインに係る情報、すなわちユーザプロファイルを入力する（Ｓ１０２）。続いて、ユーザインタフェース処理部２１０、ユーザインタフェース制御部１１０を介して（Ｓ１０３、Ｓ１０４）、ユーザプロファイルが、データベース管理部１１１に入力され、当該ユーザプロファイルの更新又は照合が行われ、ユーザが通信システムにログインする（Ｓ１０５）。
【００５５】
ステップＳ１０６において、ユーザインタフェース制御部１１０は、画面表示に係る情報をユーザインタフェース処理部２１０に送信する。当該画面表示は、ユーザに対して、図３に示される「コンテンツ登録」、図４に示される「ライセンス設定」又は図５に示される「メタ情報設定」のインタフェースを提供するものである。
【００５６】
図３は、実施形態に係るコンテンツアップロード時の端末２０における画面表示の一例を示す図である。図３に示されるように、ポインティングデバイスによるドラッグ又はクリックによって、アップロードするコンテンツをユーザは入力することができる。図３において、５つのコンテンツがアップロードされている。限定されない例として、上から１番目のコンテンツは、エラーが発生したためユーザに再度コンテンツの入力を促す表示を示し、上から２番目及び４番目のコンテンツは、アップロードが完了した表示を示し、上から３番目及び５番目のコンテンツは、アップロード中である表示を示す。なお、画面の最下部に、「ライセンス情報の編集へ」進むボタンが表示される。当該ボタンをクリックすることで、アップロードしたコンテンツのライセンス設定を行う画面にユーザは進むことができる。
【００５７】
図４は、実施形態に係るライセンス設定時の端末２０における画面表示の一例を示す図である。図４は、コンテンツが３０件アップロードされている例であり、当該３０件のコンテンツに対して、ライセンス設定を一括で行うときの画面表示を示す。ユーザが入力する項目として、「クレジット」、「タイトル」、「キャプション」が存在し、ライセンス設定として、「［利用禁止］原則として一切の利用を禁止する」が選択されている。なお、ライセンスの他の設定として、「指定条件で許諾」が存在する。ライセンス設定が「［利用禁止］原則として一切の利用を禁止する」である場合、当該コンテンツの使用は、禁止され、ブロックされる。ライセンス設定が「指定条件で許諾」である場合、当該コンテンツの使用は、指定条件に基づいて許諾される。指定条件は、限定されない例として、１）クレジット表示、２）リンク設置、３）使用料金処理がある。詳細は後述する。
【００５８】
なお、画面の最下部に、「メタ情報の編集へ」進むボタンが表示される。当該ボタンをクリックすることで、アップロードしたコンテンツのメタ情報の設定を行う画面にユーザは進むことができる。また、画面の最下部に、「アップロードをキャンセルする」ボタン及び「ＳＴＥＰ１へもどる」ボタンも表示される。ＳＴＥＰ１とは、図３で説明したコンテンツをアップロードする画面である。
【００５９】
図５は、実施形態に係るメタ情報設定時の端末２０における画面表示の一例を示す図である。
図５は、コンテンツが３０件アップロードされている例であり、当該３０件のコンテンツに対して、メタ情報の設定を一括で行うときの画面表示を示す。ユーザが入力する項目として、「基本情報」は、「ＩＤ」、「撮影者」、「写真分類」、「撮影日時」、「キーワード」を含む。「キーワード」に対しては、「華やか」、「ご機嫌」、「バースデー」のボタンが用意される。また、「エリア」は、「国」、「都道府県」、「市町村」、「スポット名」、「利用目的」、「どんなところ」、「キーワード」を含む。「キーワード」に対しては、「華やか」、「ご機嫌」、「バースデー」のボタンが用意される。また、「撮影条件」は、「シーズン」、「天気」、「時間帯」、「キーワード」を含む。「キーワード」に対しては、「五月晴れ」のボタンが用意される。また、「被写体情報」は、「種別」、「誰」、「どんな人」、「人数」、「性別」、「どう写っている」、「何をしている」、「キーワード」を含む。「キーワード」に対しては、「ご機嫌」のボタンが用意される。また、「被写体の追加」及び「背景の追加」ボタンが用意される。
【００６０】
なお、画面の最下部に、「登録を確認する」ボタンが表示される。当該ボタンをクリックすることで、アップロードしたコンテンツをサーバ１０に登録する処理が開始される。また、画面の最下部に、「アップロードをキャンセルする」ボタン及び「ＳＴＥＰ２へもどる」ボタンも表示される。ＳＴＥＰ２とは、図４で説明したコンテンツにライセンスを設定する画面である。
【００６１】
図２に戻る。図３、図４及び図５で説明したように、ステップＳ１０７において、ユーザは、コンテンツ登録、ライセンス設定及びメタ情報設定を行う。続いて、ユーザインタフェース処理部２１０は、ユーザから入力されたコンテンツ、ライセンス設定及びメタ情報をユーザインタフェース制御部１１０に送信する（Ｓ１０８）。続いて、ユーザインタフェース制御部１１０は、当該コンテンツ、ライセンス設定及びメタ情報をデータベース管理部１１１に送信する（Ｓ１０９）。
【００６２】
ステップＳ１１０において、データベース管理部１１１は、受信した当該コンテンツ、ライセンス設定及びメタ情報に基づいてデータベースを更新する。続いて、データベース管理部１１１は、コンテンツ照合部１１２に当該コンテンツの照合を開始させる（Ｓ１１１）。
【００６３】
ステップＳ１１２において、コンテンツ照合部１１２は、当該コンテンツの照合を実行する。照合の対象となるコンテンツは、上述したように、照合の対象とするコンテンツは、サーバ１０が有するデータベースに含まれるコンテンツでもよいし、通信システムが有する複数のサーバから構成されるデータベースに含まれるコンテンツでもよいし、インターネットの一部又は全部に存在するコンテンツでもよい。コンテンツ照合により、登録されたコンテンツに同一又は類似のコンテンツが既に照合の対象とするコンテンツに存在するか否かが判定される。コンテンツ照合には、限定されない例として、既存の画像検索エンジン、画像解析システム等が使用されてもよい。続いて、コンテンツ照合部１１２は、登録されたコンテンツと同一又は類似のコンテンツが存在するか否かを示すコンテンツ照合の結果をライセンス処理部１１３に送信する（Ｓ１１３）。
【００６４】
ステップＳ１１４において、ライセンス処理部１１３は、登録されたコンテンツと同一又は類似のコンテンツが存在する場合、データベース管理部１１１から、当該同一又は類似のコンテンツのライセンス設定を取得する。すなわち、登録されたコンテンツは、既に本通信システムにおいて同一又は類似のコンテンツが登録されており、権利者である他のユーザが存在することを示す。続いて、ライセンス処理部１１３は、ライセンス処理を行う（Ｓ１１５）。
【００６５】
図６は、実施形態に係る通信システムにおけるライセンス処理の一例を示すフローチャートである。図６において、ライセンス処理部１１３が、図２のステップＳ１１５において実行する処理を説明する。
【００６６】
ステップＳ１１５において、ライセンス処理部１１３はライセンス処理を開始する。続いて、コンテンツ照合結果において、登録されたコンテンツと関連するコンテンツすなわち同一又は類似のコンテンツが検出されたか否かをライセンス処理部１１３は判定する。検出された場合（Ｓ１１５１のＹＥＳ）、ステップＳ１１５３に進み、検出されなかった場合（Ｓ１１５１のＮＯ）、ステップＳ１１５２に進む。
【００６７】
ステップＳ１１５２において、登録されたコンテンツに、登録者が入力したライセンス設定を適用する。続いて、登録されたコンテンツには、登録者が入力したライセンスが適用されることを示す情報が、登録者に通知され（Ｓ１１５９）、ライセンス処理は終了する。
【００６８】
一方、ステップＳ１１５３において、権利を有するコンテンツがアップロードされたことを示す情報が、権利者に通知される。続いて、当該コンテンツに対する権利者のライセンス設定は「ブロック」であるか否かをライセンス処理部１１３は判定する。「ブロック」である場合（Ｓ１１５４のＹＥＳ）、ステップＳ１１５５に進み、「ブロック」でない場合（Ｓ１１５４のＮＯ）、ステップＳ１１５６に進む。
【００６９】
ステップＳ１１５５において、登録されたコンテンツは、使用がブロックされる。コンテンツの使用がブロックされた場合の詳細については後述する。続いて、登録されたコンテンツは、権利者が当該コンテンツの使用をブロックしていることを示す情報が、登録者に通知され（Ｓ１１５９）、ライセンス処理は終了する。
【００７０】
一方、ステップＳ１１５６において、当該コンテンツに対する権利者のライセンス設定は「指定条件で許諾される」であるか否かをライセンス処理部１１３は判定する。「指定条件で許諾される」である場合（Ｓ１１５６のＹＥＳ）、ステップＳ１１５７に進み、「指定条件で許諾される」でない場合（Ｓ１１５６のＮＯ）、ステップＳ１１５９に進み、登録されたコンテンツには、権利者がライセンス設定をしていない又はライセンス設定を保留していることを示す情報が、登録者に通知され、ライセンス処理は終了する。
【００７１】
ステップＳ１１５７において、登録されたコンテンツは、権利者が設定した指定条件で使用が許諾される。コンテンツの使用が許諾された場合の詳細については後述する。続いて、ステップＳ１１５８において、権利者が設定した指定条件に応じた処理が実行される。指定条件が「クレジット表示」である場合、コンテンツが使用されるとき、クレジット表示を伴うことが条件となる。指定条件が「リンク設置」である場合、コンテンツが使用されるとき、リンク設置を伴うことが条件となる。指定条件が「使用料金処理」である場合、コンテンツが使用されるとき、権利者に所定の使用料金が支払われる処理を伴う。権利者へのコンテンツ使用料金は、本通信システムの運営者が支払ってもよいし、登録者が支払ってもよい。また、権利者へのコンテンツ使用料金は、売り切り型で処理されてもよく、当該コンテンツ使用料金が精算された場合、当該コンテンツに係るライセンスは移転されてもよい。ライセンス処理部１１３は、上記の使用料金の支払いに係る処理を実行し、必要な通知を権利者又は登録者に行う。なお、指定条件は、１又は複数の条件が設定されてもよいし、上記の３条件に限られない。続いて、ステップＳ１１５９に進み、登録されたコンテンツには、権利者が使用料金を設定していることを示す情報が、登録者に通知され、ライセンス処理は終了する。なお、登録されたコンテンツに、権利者が使用料金を設定していることを示す情報は、必ずしも登録者に通知されなくてもよい。
【００７２】
図２に戻る。以後、図６のステップＳ１１５９における登録者に通知するシーケンスを説明する。権利者に通知するシーケンスは後述する。
【００７３】
ステップＳ１１６において、ライセンス処理部１１３は、図６で説明した登録者に通知する情報をデータベース管理部１１１に送信する。登録者に通知する情報は、登録されたコンテンツのライセンス設定状況を含む。ライセンス設定状況には、登録されたコンテンツに登録者のライセンス設定が適用されたか、又は権利者のライセンス設定のいずれかが適用されたかを示す情報が含まれる。続いて、データベース管理部１１１は、当該ライセンス設定状況に応じて登録されたコンテンツのライセンス設定を更新する（Ｓ１１７）。続いて、データベース管理部１１１は、ユーザインタフェース制御部１１０に登録者に通知する情報を送信する（Ｓ１１８）。なお、ライセンス処理部１１３は、データベース管理部１１１を介さずに、ユーザインタフェース制御部１１０に登録者に通知する情報を送信してもよい。
【００７４】
ステップＳ１１９において、ユーザインタフェース制御部１１０は、登録者に通知する情報をユーザに表示するための画面表示に係る情報をユーザインタフェース処理部２１０に送信する。当該画面表示は、ユーザに対して、登録者に通知する情報、すなわち登録されたコンテンツのライセンス設定状況を表示するものである。ユーザは、当該画面表示により、登録されたコンテンツのライセンス設定状況を確認することができる。
【００７５】
なお、登録者が、コンテンツの権利を有している場合、すなわち登録者と権利者が同一ユーザである場合は、ステップＳ１１２におけるコンテンツの照合によりデータベース上で検出されたコンテンツを登録していたユーザに、当該コンテンツに対して登録者のライセンス設定が適用されることがステップＳ１１５のライセンス処理において通知される。当該通知は、図８において後述するステップＳ２０８以降の動作と同様である。
【００７６】
また、ユーザは、任意の時点でコンテンツの検索を行うことができる（Ｓ１５０）。ユーザインタフェース処理部２１０及びユーザインタフェース制御部１１０を介して（Ｓ１５１、Ｓ１５２）、データベース管理部１１１は、ユーザの指定した検索条件を取得し、コンテンツ検索を通信システムが有するデータベースにおいて実行する（Ｓ１５３）。
【００７７】
ステップＳ１５４において、データベース管理部１１１は、コンテンツ検索結果をユーザインタフェース制御部１１０に送信する。続いて、ユーザインタフェース制御部１１０は、コンテンツ検索結果をユーザに表示するための画面表示に係る情報をユーザインタフェース処理部２１０に送信する。当該画面表示は、ユーザに対して、コンテンツ検索結果を表示するものである。ユーザは、当該画面表示により、コンテンツ検索結果を閲覧することができる。
【００７８】
図７は、実施形態に係るコンテンツ検索結果表示時の端末２０における画面表示の一例を示す図である。ユーザが入力した検索条件に基づいて、コンテンツ検索結果が画面表示される。図７に示されるように、コンテンツの内容（画像）、ライセンス設定、クレジット、利用許諾数、閲覧回数が表示される。表示内容は、適宜変更されてよい。
【００７９】
＜ライセンス設定処理＞
図８は、実施形態に係る通信システムにおけるライセンス設定のシーケンスの一例を示す図である。
ステップＳ１１５において、ライセンス処理部１１３は、図２及び図６で説明したライセンス処理を実行する。図６に示されるステップＳ１１５３「権利者に通知」が、ステップＳ２０１に対応する。権利者に通知する情報は、権利者が権利を有するコンテンツが通信システムにおいて登録されたことを示す情報を含む。続いて、データベース管理部１１１を介して（Ｓ２０１）、ユーザインタフェース制御部１１０に権利者に通知する情報を送信する（Ｓ２０２）。なお、ライセンス処理部１１３は、データベース管理部１１１を介さずに、ユーザインタフェース制御部１１０に権利者に通知する情報を送信してもよい。
【００８０】
ステップＳ２０３において、ユーザインタフェース制御部１１０は、権利者に通知する情報をユーザに表示するための画面表示に係る情報をユーザインタフェース処理部２１０に送信する。当該画面表示は、ユーザに対して、権利者に通知する情報、すなわち権利を有するコンテンツが通信システムにおいて登録されたことを表示するものである。ユーザは、当該画面表示により、権利を有するコンテンツが通信システムにおいて登録されたことを確認し、必要に応じて当該コンテンツのライセンス設定を変更することができる（Ｓ２０４）。
【００８１】
ステップＳ２０４において、権利者であるユーザは、権利を有するコンテンツに対して、予め設定していたライセンス設定を引き続き適用させてもよい。すなわち、権利者であるユーザは、必ずしも追加して処理を行う必要はない。また、権利者であるユーザは、権利を有するコンテンツが通信システムにおいて登録されたことを通知されたとき、権利を有するコンテンツに対して、ライセンス設定を変更してもよい。
【００８２】
図９は、実施形態に係る権利を有するコンテンツ一覧時の端末２０における画面表示の一例を示す図である。
図９において、権利を有するコンテンツに対して、「未処理」をクリックすることにより、ライセンス設定を変更することができる。「未処理」の件数は、権利を有するコンテンツがコンテンツ照合部１１２により検出された件数のうち、ユーザが処理を行っていない件数を示す。「未処理」の件数に対して、ユーザは一括してライセンス設定を行ってもよい。
【００８３】
図４で説明したように、コンテンツに対するライセンス設定として、「利用禁止（ブロック）」、「指定条件で許諾」が存在する。さらに、ライセンス設定として、権利行使を一時的に保留する「保留」が設定されてもよい。ライセンス設定が「指定条件で許諾」である場合、当該コンテンツの使用は、指定条件に基づいて許諾される。指定条件は、限定されない例として、１）クレジット表示、２）リンク設置、３）使用料金処理があり、ユーザは適宜条件を指定する。
【００８４】
図８に戻る。ステップＳ２０４において、ユーザは、ライセンス設定の変更をユーザインタフェース処理部２１０に入力する。続いて、ユーザインタフェース制御部１１０を介して（Ｓ２０５、Ｓ２０６）、ライセンス処理部１１３はライセンス変更処理を行う（Ｓ２０７）。
【００８５】
図１０は、実施形態に係る通信システムにおけるライセンス変更処理の一例を示すフローチャートである。図１０において、ライセンス処理部１１３が、図８のステップＳ２０７において実行する処理を説明する。
【００８６】
ステップＳ２０７において、ライセンス処理部１１３はライセンス処理を開始する。ステップＳ２０７１において、権利者が入力したライセンス設定が「ブロック」に変更されたか否かをライセンス処理部１１３は判定する。「ブロック」である場合（Ｓ２０７１のＹＥＳ）、ステップＳ２０７２に進み、「ブロック」でない場合（Ｓ２０７１のＮＯ）、ステップＳ２０７３に進む。
【００８７】
ステップＳ２０７２において、ライセンス設定変更された対象コンテンツは、使用がブロックされる。コンテンツの使用がブロックされた場合、コンテンツを使用している場合の表示が変更される。
【００８８】
図１１は、実施形態に係るコンテンツの使用がブロックされた場合の端末２０における画面表示の一例を示す図である。コンテンツの使用が権利者によってブロックされると、コンテンツは使用できなくなる。図１１の例においては、画像が黒塗りされて非表示となり、「この投稿は、画像の権利者により非表示にされました。」とのメッセージが表示される。画像が非表示とされる処理は、画像にエンベッド型として含まれるデータに基づいて実行されてもよい。
【００８９】
図１０に戻る。続いて、ステップＳ２０７６において、権利者が対象コンテンツの使用をブロックしていることを示す情報が、登録者に通知され、ライセンス変更処理は終了する。
【００９０】
一方、ステップＳ２０７３において、対象コンテンツに対する権利者のライセンス設定は「指定条件で許諾される」であるか否かをライセンス処理部１１３は判定する。「指定条件で許諾される」である場合（Ｓ２０７３のＹＥＳ）、ステップＳ２０７４に進み、「指定条件で許諾される」でない場合（Ｓ２０７３のＮＯ）、ステップＳ２０７６に進み、対象コンテンツには、権利者がライセンス設定をしていない又はライセンス設定を保留していることを示す情報が、登録者に通知され、ライセンス処理は終了する。
【００９１】
ステップＳ２０７４において、対象コンテンツは、権利者が設定した指定条件で使用が許諾される。コンテンツの使用が許諾された場合、対象コンテンツは、正規のデータ、すなわち高品質のデータで使用可能となるようにしてもよい。当該高品質のデータは、権利者が登録したコンテンツのデータであってもよい。限定されない例として、コンテンツが画像である場合、高解像度の画像が使用可能となるようにしてもよい。
【００９２】
図１２は、実施形態に係るコンテンツの使用が許諾された場合の端末２０における画面表示の一例を示す図である。コンテンツの使用が権利者によって許諾されると、コンテンツは正規のデータが使用可能になる。図１２の例においては、画像が正規のデータである高解像度の画像に置換され、「この画像は、権利者により表示を変更されました。」とのメッセージが表示される。画像が高解像度の画像に置換される処理は、画像にエンベッド型として含まれるデータに基づいて実行されてもよい。また、画像の下部に、「つけ麺／麺屋たかはし  ｂｙ  ｒａｍｅｎ」とのクレジットが表示されてもよい。当該クレジットは、権利者が設定した指定条件に、クレジット表示が含まれていた場合に表示される。
【００９３】
また、コンテンツの使用が権利者によって許諾されて、正規のデータが使用可能になる場合、正規のデータによるコンテンツが表示される前に所定の期間あるいはユーザが指示するまで他のコンテンツ、例えば、広告が表示されてもよい。限定されない例として、コンテンツが画像である場合、画像の位置に広告が表示され、ユーザが広告を閲覧した後、正規のデータによるコンテンツの画像が表示されてもよい。
【００９４】
図１０に戻る。続いて、ステップＳ２０７５において、権利者が設定した指定条件に応じた処理が実行される。指定条件が「クレジット表示」である場合、コンテンツが使用されるとき、クレジット表示を伴うことが条件となる。指定条件が「リンク設置」である場合、コンテンツが使用されるとき、リンク設置を伴うことが条件となる。指定条件が「使用料金処理」である場合、コンテンツが使用されるとき、権利者に所定の使用料金が支払われる処理を伴う。権利者へのコンテンツ使用料金は、本通信システムの運営者が支払ってもよいし、登録者が支払ってもよい。ライセンス処理部１１３は、上記の使用料金の支払いに係る処理を実行し、必要な通知を権利者又は登録者に行う。続いて、ステップＳ２０７６に進み、登録されたコンテンツには、権利者が使用料金を設定していることを示す情報が、登録者に通知され、ライセンス処理は終了する。なお、登録されたコンテンツには、権利者が使用料金を設定していることを示す情報は、必ずしも登録者に通知されなくてもよい。
【００９５】
図８に戻る。以後、図１０のステップＳ２０７６における登録者に通知するシーケンスを説明する。
【００９６】
ステップＳ２０８において、ライセンス処理部１１３は、図１０で説明した登録者に通知する情報をデータベース管理部１１１に送信する。登録者に通知する情報は、登録者が登録したコンテンツに適用された権利者が変更したライセンス設定状況を含む。続いて、データベース管理部１１１は、当該ライセンス設定状況に応じて、権利者及び登録者のコンテンツのライセンス設定を更新する（Ｓ２０９）。続いて、データベース管理部１１１は、ユーザインタフェース制御部１１０に登録者に通知する情報を送信する（Ｓ２１０）。なお、ライセンス処理部１１３は、データベース管理部１１１を介さずに、ユーザインタフェース制御部１１０に登録者に通知する情報を送信してもよい。
【００９７】
ステップＳ２１１において、ユーザインタフェース制御部１１０は、登録者に通知する情報をユーザに表示するための画面表示に係る情報をユーザインタフェース処理部２１０に送信する。当該画面表示は、ユーザに対して、登録者が登録したコンテンツに適用された権利者が変更したライセンス設定状況を表示するものである。ユーザは、当該画面表示により、登録したコンテンツのライセンス設定状況を確認することができる。
【００９８】
また、ユーザは、任意の時点でライセンスのモニタリングを行うことができる（Ｓ２５０）。ユーザインタフェース処理部２１０及びユーザインタフェース制御部１１０を介して（Ｓ２５１、Ｓ２５２）、データベース管理部１１１は、ユーザすなわち権利者のコンテンツに係るライセンス行使状況を通信システムが有するデータベースから抽出する（Ｓ１５３）。
【００９９】
ステップＳ２５４において、データベース管理部１１１は、権利者のコンテンツに係るライセンス行使状況の抽出結果をユーザインタフェース制御部１１０に送信する。続いて、ユーザインタフェース制御部１１０は、ライセンス行使状況の抽出結果をユーザに表示するための画面表示に係る情報をユーザインタフェース処理部２１０に送信する。当該画面表示は、ユーザに対して、権利を有するコンテンツのモニタリング及びライセンス行使状況の抽出結果を表示するものである。ユーザは、当該画面表示により、権利を有するコンテンツのモニタリング及びライセンス行使状況の抽出結果を確認し、必要に応じて、ライセンス設定を変更することができる。
【０１００】
図１３は、実施形態に係るモニタリング時の端末２０における画面表示の一例を示す図である。ユーザは、権利を有するコンテンツについて、モニタリングをすることができる。図１３は、モニタリングを行うコンテンツの検索条件として、「ドメイン／ＵＲＬ（Uniform Resource Locator）」に「ライセンスを選択」、「処理ステータス」に「未処理」、「登録日」に「２０１７．５．１」が指定された例である。なお、コンテンツの検索条件は、さらに「コンテンツＩＤ」を指定可能であってもよい。
【０１０１】
図１３において、１番目に表示されているコンテンツは、コンテンツ照合部１１２によって同一又は類似のコンテンツが検出されていた状況を示す。当該検出されたコンテンツに対して、ユーザは、「指定条件で許諾」、「ブロック」、「保留」、「不一致」いずれかを設定することができる。ライセンス設定が「指定条件で許諾」である場合、当該コンテンツの使用は、指定条件に基づいて許諾される。ライセンス設定が「ブロック」である場合、当該コンテンツの使用は、禁止され、ブロックされる。ライセンス設定が、「保留」である場合、当該コンテンツに対する権利行使は一時的に保留される。ライセンス設定が「不一致」である場合、当該コンテンツに対する権利行使は行われない。図１３に示されるように、当該コンテンツと、同一又は類似であると検出されたコンテンツとが、比較できるように並べて画面に表示されてもよい。
【０１０２】
また、表示されるコンテンツごとに、同一又は類似であるコンテンツが検出された日時を「検知日」、当該コンテンツに対する権利行使の処理を行った日時を「処理日」、コンテンツの「タイトル」及び「ＵＲＬ」が表示されてもよい。なお、１番目に表示されているコンテンツの例では、ライセンスは「ＣＣ（Creative Commons）ライセンス」として、「表示・非営利・改変禁止」の属性を有する。
【０１０３】
また図１３において、２番目に表示されているコンテンツは、「指定条件で許諾」が設定された例であり、３番目に表示されているコンテンツは、「保留」が設定された例であり、４番目に表示されているコンテンツは、「ブロック」が設定された例である。
【０１０４】
図１４は、実施形態に係るライセンス行使状態表示時の端末２０における画面表示の一例を示す図である。図１４に示されるように、権利を有するコンテンツに対するライセンス行使状態が一覧表示される。図１４において、１番目に表示されているコンテンツは、ライセンスが「条件付き許諾」で行使されており、対価として「分配を受ける」が設定されている。対価とは、図６のステップＳ１１５８で説明した使用料金である。
【０１０５】
また、当該コンテンツに係る確認可能な項目には、「タイトル」、「表示項目」、「クレジット」、「キャプション」、「リンク先」、「コンテンツＩＤ」が含まれる。
【０１０６】
図１５は、実施形態に係るコンテンツ詳細表示時の端末２０における画面表示の一例を示す図である。図１５に示されるコンテンツ詳細表示は、当該コンテンツの権利を有するユーザが確認可能である。限定されない例として、図９又は図１３におけるコンテンツ一覧表示画面においてコンテンツを選択して、コンテンツ詳細表示の画面に遷移してもよい。図１５に示されるように、当該コンテンツに係るライセンスの項目として、「分配報酬」、「出典明記」、「出典リンク」、「加工」の可否、「再編集」の可否、「許可対象」が設定可能である。また、コンテンツにエンベッドするデータとして、「埋め込みコード」、及び「埋め込み画像サイズ」が設定可能である。
【０１０７】
当該コンテンツに係るメタ情報は、図５で説明した内容と同様であり、「基本情報」、「エリア」、「撮影条件」、「被写体情報」の各項目が設定可能である。
【０１０８】
図１６は、実施形態に係るプロファイル表示時の端末２０における画面表示の一例を示す図である。図１６において、ユーザプロファイル表示画面について説明する。
【０１０９】
図１６に示されるように、ユーザの氏名、ユーザの略歴、登録コンテンツ件数、利用許諾件数が設定可能である。また、ユーザプロファイルに関連付けられる情報として、「経歴・略歴」、「著書」、「メディア」、「エリア」、「被写体情報」が設定可能であり、当該ユーザが通信システムにおいて投稿している「最新記事」を確認可能である。
＜実施形態の効果＞
上述の実施形態において、サーバ１０において登録されるコンテンツの照合を実施することにより、コンテンツの権利を有するユーザは、他のユーザが当該コンテンツを通信システムに登録したことの通知を受けることができる。また、コンテンツの権利を有するユーザは、当該コンテンツの使用に関して、予め当該コンテンツに設定していたライセンス設定を適用して、当該コンテンツの使用をブロック、あるいは所定の条件で許諾することができる。また、コンテンツの権利を有するユーザは、他のユーザが当該コンテンツをサーバ１０に登録したことの通知を受けたとき、当該コンテンツに設定していたライセンス設定を変更して適用させることができる。また、サーバ１０は、コンテンツの権利を有するユーザが指定した所定の条件に基づいて、コンテンツの使用を適切に制御できる。また、サーバ１０は、コンテンツの権利を有するユーザが指定した所定の条件に基づいて、コンテンツが使用されるとき、広告を表示すること、及びコンテンツの使用料金を算出してコンテンツの権利を有するユーザに分配することが可能である。
【０１１０】
すなわち、コンテンツの著作権を有するユーザが、コンテンツの使用に係る制御を容易に実行することができる。
【０１１１】
＜その他＞
なお、本開示の実施形態において、サーバ１０は、情報処理装置の一例である。端末２０は、情報処理端末の一例である。ライセンス設定は、コンテンツの使用に係る設定の一例である。登録者が登録するコンテンツは、第１のコンテンツの一例である。権利者が登録するコンテンツは、第２のコンテンツの一例である。広告は、第３のコンテンツの一例である。ユーザインタフェース制御部１１０は、第１の受信部又は第２の受信部の一例である。コンテンツ照合部１１２は、照合部の一例である。ライセンス処理部１１３は、制御部の一例である。
【０１１２】
本開示において、判定は必須ではなく、判定条件を満たした場合に所定の処理が実行され、判定条件を満たさない場合に所定の処理が実行されてもよいことは当然である。
【０１１３】
本開示の実施形態を諸図面又は実施例に基づき説明したが、当業者であれば本開示に基づき種々の変形又は修正を行うことが容易であることに注意されたい。従って、これらの変形又は修正は本開示の範囲に含まれることに留意されたい。限定されない例として、各手段、各ステップに含まれる機能等は論理的に矛盾しないように再配置が可能であり、複数の手段又はステップ等を１つに組み合わせること、或いは手段又はステップ等を分割することが可能である。また、実施形態に示す構成は適宜組み合わされてもよい。
【符号の説明】
【０１１４】
１０        サーバ
１１        制御装置
１１０      ユーザインタフェース制御部
１１１      データベース管理部
１１２      コンテンツ照合部
１１３      ライセンス処理部
１２        入出力装置
１３        ディスプレイ
１４        通信Ｉ／Ｆ
１５        記憶装置
２０        端末
２１        制御装置
２１０      ユーザインタフェース処理部
２２        通信Ｉ／Ｆ
２３        入出力装置
２４        表示装置
２５        マイク
２６        スピーカ
２７        カメラ
２８        記憶装置
３０        ネットワーク
【図１】
2019087282.tif 000003
【図２】
2019087282.tif 000004
【図３】
2019087282.tif 000005
【図４】
2019087282.tif 000006
【図５】
2019087282.tif 000007
【図６】
2019087282.tif 000008
【図７】
2019087282.tif 000009
【図８】
2019087282.tif 000010
【図９】
2019087282.tif 000011
【図１０】
2019087282.tif 000012
【図１１】
2019087282.tif 000013
【図１２】
2019087282.tif 000014
【図１３】
2019087282.tif 000015
【図１４】
2019087282.tif 000016
【図１５】
2019087282.tif 000017
【図１６】
2019087282.tif 000018
【国際調査報告】
2019087282.tif 000019
2019087282.tif 000020
2019087282.tif 000021
2019087282.tif 000022